(57)【要約】【課題】中空のハニカム触媒とケーシングとの間を十分に締め付けることを可能とし、両者の間の気密性を確保すること。【解決手段】ハニカム触媒装置１は、ケーシング３と中空のハニカム触媒２を備える。内筒４は、ハニカム触媒２の中空の内周壁に整合するように組み付けられ、内筒４とハニカム触媒２との間にセラミックシート６が介在する。外筒５は、ハニカム触媒２の外周を覆うように組み付けられ、外筒５とハニカム触媒２との間にセラミックシート７が介在する。中空のハニカム触媒２は、複数の円弧触媒片１１ａ〜１１ｃを内筒４の外周上で継ぎ合わせることで構成される一段の環状触媒体１１を、内筒４に沿って多段に重ね合わせることで構成される。各段の隣り合う環状触媒体１１Ａ〜１１Ｄは、円弧触媒片１１ａ〜１１ｃの継ぎ目１２を互いにずらした状態で対向配置される。【選択図】        図３
2006297330.tif 000002
【特許請求の範囲】
【請求項１】
中空のハニカム触媒をケーシングに収納してなるハニカム触媒装置であって、
前記ケーシングは、内筒と外筒を含むことと、
前記内筒は、前記ハニカム触媒の中空の内周壁に整合するように組み付けられることと、
前記内筒と前記ハニカム触媒との間にシール材が介在することと、
前記外筒は、前記ハニカム触媒の外周を覆うように組み付けられることと、
前記外筒と前記ハニカム触媒との間にシール材が介在することと、
前記中空のハニカム触媒は、複数の触媒片を前記内筒の外周上で周方向に継ぎ合わせることで構成される触媒体であることと
を備えたことを特徴とするハニカム触媒装置。
【請求項２】
前記内筒及び前記外筒は円筒形状であり、前記触媒片は円弧状の円弧触媒片であり、前記触媒体は環状の環状触媒体であることを特徴とする請求項１に記載のハニカム触媒装置。
【請求項３】
前記ハニカム触媒は、前記複数の円弧触媒片で構成される一段の前記環状触媒体を、前記内筒の軸方向に沿って多段に重ね合わせることで構成され、
前記各段の隣り合う環状触媒体の少なくとも一組は、前記円弧触媒片の継ぎ目を互いにずらした状態で対向配置されることを特徴とする請求項２に記載のハニカム触媒装置。
【請求項４】
前記各円弧触媒片は互いに前記内筒の中心軸を中心とする回転対称形状を有し、一つの前記円弧触媒片が隣接する前記円弧触媒片に重なるまで前記中心軸を中心として回転する角度を１００とした場合、互いにずらした状態で対向配置される前記環状触媒体は、前記中心軸を中心として１０〜９０の角度ずらした状態で配置されることを特徴とする請求項３に記載のハニカム触媒装置。
【請求項５】
前記各円弧触媒片は互いに前記内筒の中心軸を中心とする回転対称形状を有し、一つの前記円弧触媒片が隣接する前記円弧触媒片に重なるまで前記中心軸を中心として回転する角度を１００とした場合、互いにずらした状態で対向配置される前記環状触媒体は、前記中心軸を中心として３０〜７０の角度ずらした状態で配置されることを特徴とする請求項３に記載のハニカム触媒装置。
【発明の詳細な説明】
【技術分野】
【０００１】
この発明は、燃料電池に燃料ガスを供給する改質器に使用されるハニカム触媒装置に関する。
【背景技術】
【０００２】
従来より、ハニカム触媒は内燃機関の排気ガス浄化用触媒コンバータに使われており、下記の特許文献１及び２には、その一例が開示されている。この排気浄化用触媒コンバータは、ハニカム構造の触媒担持体と、その触媒担持体の外周を覆う金属シェルと、触媒担持体と金属シェルとの間に設けられる無機質繊維マットからなる保持シール材とを備える。このコンバータは、触媒担持体の外周に保持シール材を巻回し、その外側を金属シェルで覆いながら締め付けている。
【０００３】
また、特許文献３には、内燃機関で使用される触媒コンバータとして、ケーシングに収納される触媒担体を、その軸線方向に沿って複数に分割し、それら分割された触媒担体を相互に空隙を介して多段に配置したものが開示されている。
【０００４】
また、特許文献４には、燃料電池に燃料ガスを供給する燃料改質器装置で使用され、円筒状の中心側空間部と環状の外周側空間部とからなる二重筒構造からなり、それら空間部にＣＯ変成触媒が充填されており、燃料改質部から供給された改質ガスをシフト変成するようにしたＣＯ変成部構造が記載されている。この変成部構造では、中心側空間部のＣＯ変成触媒（中心側変成触媒）と、外周側空間部のＣＯ変成触媒（外周側変成触媒）とが互いに区画され、その中心側変成触媒の一端側から導入される改質ガスをその他端側から導出し、同他端側にて外周側変性触媒に導入し、その外周側変性触媒の一端側（改質ガスを導入する側と同じ端側）から導出するようになっている。
【特許文献１】特開２００１−２４８４３０号公報
【特許文献２】特開２０００−００８８４５号公報
【特許文献３】特開平８−１４４７５２号公報
【特許文献４】特開２００２−２７４８１０号公報
【発明の開示】
【発明が解決しようとする課題】
【０００５】
ところで、特許文献４に記載のＣＯ変成構造部のように改質器で使用される触媒装置を、モノリスのハニカム構造からなるハニカム触媒を使用して構成することが考えられる。また、このハニカム触媒を中空のハニカム触媒とすることも考えられる。ここで、中空のハニカム触媒をモノリスで構成したとすると、ハニカム触媒を収納するケーシングにつき、ハニカム触媒との間の気密性を確保するためには、同触媒に対してケーシングを十分に締め付ける必要がある。しかし、モノリスで中空のハニカム触媒では、ケーシングを締め付けたときに破損のおそれがあり、十分な締め付け力を与えられないので、ハニカム触媒とケーシングとの間に隙間ができる懸念がある。このことは、ハニカム触媒を、上記特許文献３に記載のように複数に分割しても、それら分割された触媒が中空であれば、同じように問題となることである。
【０００６】
この発明は上記事情に鑑みてなされたものであって、その目的は、中空のハニカム触媒をケーシングに収納してなるハニカム触媒装置につき、ハニカム触媒とケーシングとの間を十分に締め付けることを可能とし、両者の間の気密性を確保することを可能とした触媒装置を提供することにある。
【課題を解決するための手段】
【０００７】
上記目的を達成するために、請求項１に記載の発明は、中空のハニカム触媒をケーシングに収納してなるハニカム触媒装置であって、ケーシングは、内筒と外筒を含むことと、内筒は、ハニカム触媒の中空の内周壁に整合するように組み付けられることと、内筒とハニカム触媒との間にシール材が介在することと、外筒は、ハニカム触媒の外周を覆うように組み付けられることと、外筒とハニカム触媒との間にシール材が介在することと、中空のハニカム触媒は、複数の触媒片を内筒の外周上で周方向に継ぎ合わせることで構成される触媒体であることとを備えたことを趣旨とする。
【０００８】
上記発明の構成によれば、内筒の外周にシール材を取り付け、そのシール材を介して内筒の外周上に複数の触媒片を順次周方向に継ぎ合わせることで触媒体が構成され、内筒を中心にしてハニカム触媒が構成される。更に、このハニカム触媒の外周にシール材を取り付け、そのシール材を介してハニカム触媒の外周に外筒を組み付けることで、ハニカム触媒装置が構成される。ここで、ハニカム触媒の中空に内筒が組み付けられるので、その内筒がコアとして機能することでハニカム触媒の内部応力が高められる。従って、ハニカム触媒との間の気密性を確保するために、外筒を強く締め付けることが可能となる。
【０００９】
上記目的を達成するために、請求項２に記載の発明は、請求項１に記載の発明において、内筒及び外筒は円筒形状であり、触媒片は円弧状の円弧触媒片であり、触媒体は環状の環状触媒体であることを趣旨とする。
【００１０】
上記発明の構成によれば、内筒の外周にシール材を取り付け、そのシール材を介して内筒の外周上に複数の円弧触媒片を順次周方向に継ぎ合わせることで環状触媒体が構成され、内筒を中心にしてハニカム触媒が構成される。更に、このハニカム触媒の外周にシール材を取り付け、そのシール材を介してハニカム触媒の外周に外筒を組み付けることで、ハニカム触媒装置が構成される。ここで、ハニカム触媒の中空に内筒が組み付けられるので、その内筒がコアとして機能することでハニカム触媒の内部応力が高められる。
【００１１】
上記目的を達成するために、請求項３に記載の発明は、請求項２に記載の発明において、ハニカム触媒は、複数の円弧触媒片で構成される一段の環状触媒体を、内筒の軸方向に沿って多段に重ね合わせることで構成され、各段の隣り合う環状触媒体の少なくとも一組は、円弧触媒片の継ぎ目を互いにずらした状態で対向配置されることを趣旨とする。
【００１２】
上記発明の構成によれば、請求項２に記載の発明の作用に加え、各段の隣り合う環状触媒体は、円弧触媒片の継ぎ目が互いにずれた状態で対向配置されるので、ハニカム触媒の一端から他端にかけて、各円弧触媒片の継ぎ目が互いにつながることがない。また、隣り合う環状触媒体の間で、隣接する円弧触媒片の継ぎ目が互いにずれることで、各円弧触媒片のハニカム構造の細孔パターンが上下にずれて交差することになる。
【００１３】
上記目的を達成するために、請求項４に記載の発明は、請求項３に記載の発明において、各円弧触媒片は互いに内筒の中心軸を中心とする回転対称形状を有し、一つの円弧触媒片が隣接する円弧触媒片に重なるまで中心軸を中心として回転する角度を１００とした場合、互いにずらした状態で対向配置される環状触媒体は、中心軸を中心として１０〜９０の角度ずらした状態で配置されることを趣旨とする。
【００１４】
上記発明の構成によれば、請求項３に記載の発明の作用に加え、各段の隣り合う環状触媒体のずれを、上記した１０〜９０の角度ずらした状態に特定することにより、ハニカム構造の細孔パターンのずれ度合いが好適に調整される。
【００１５】
上記目的を達成するために、請求項５に記載の発明は、請求項３に記載の発明において、各円弧触媒片は互いに内筒の中心軸を中心とする回転対称形状を有し、一つの円弧触媒片が隣接する円弧触媒片に重なるまで中心軸を中心として回転する角度を１００とした場合、互いにずらした状態で対向配置される環状触媒体は、中心軸を中心として３０〜７０の角度ずらした状態で配置されることを趣旨とする。
【００１６】
上記発明の構成によれば、請求項３に記載の発明の作用に加え、各段の隣り合う環状触媒体のずれを、上記した３０〜７０の角度ずらした状態に特定することにより、ハニカム構造の細孔パターンのずれ度合いが好適に調整される。
【発明の効果】
【００１７】
請求項１に記載の発明によれば、中空のハニカム触媒を外筒及び内筒に収納してなるハニカム触媒装置につき、ハニカム触媒と外筒及び内筒との間を十分に締め付けることができ、ハニカム触媒と外筒及び内筒との間の気密性を確保することができる。
【００１８】
請求項２に記載の発明によれば、中空のハニカム触媒を外筒及び内筒に収納してなるハニカム触媒装置につき、ハニカム触媒と外筒及び内筒との間を十分に締め付けることができ、ハニカム触媒と外筒及び内筒との間の気密性を確保することができる。
【００１９】
請求項３に記載の発明によれば、請求項２に記載の発明の効果に加え、ハニカム触媒の一端から導入されるガスが円弧触媒片の継ぎ目を通じて直接すり抜けることを防止することができ、モノリスのハニカム触媒と同様の効率でガスを反応させることができる。
【００２０】
請求項４に記載の発明によれば、請求項３に記載の発明の効果に加え、触媒装置全体の反応効率を向上させることができる。
【００２１】
請求項５に記載の発明によれば、請求項３に記載の発明の効果に加え、触媒装置全体の反応効率を向上させることができる。
【発明を実施するための最良の形態】
【００２２】
以下、本発明のハニカム触媒装置を具体化した一実施形態につき図面を参照して詳細に説明する。
【００２３】
図１に、この実施形態のハニカム触媒装置１を斜視図により示す。図２に、ハニカム触媒装置１を平面図により示す。図３に、ハニカム触媒装置１を縦断面図により示す。
【００２４】
このハニカム触媒装置１は、中空のハニカム触媒２が金属製のケーシング３に収納されて構成される。ケーシング３は、それぞれ無底の内筒４と外筒５を含む。内筒４は、ハニカム触媒２の中空の内周壁に整合するように組み付けられる。内筒４とハニカム触媒２との間には、本発明のシール材としてのセラミックシート６が介在する。外筒５は、ハニカム触媒２の外周を覆うように組み付けられる。外筒５は、二分割して形成された湾曲板５ａ，５ｂを互いに締め付けて接合することにより構成される。外筒５とハニカム触媒２との間には、本発明のシール材としてのセラミックシート７が介在する。
【００２５】
図４に、環状触媒体１１を平面図により示す。図５に、環状触媒体１１を構成する円弧触媒片１１ａ〜１１ｃの一つを平面図により示す。図３に示すように、中空のハニカム触媒２は、複数の環状触媒体１１Ａ〜１１Ｄを多段に重ね合わせることで構成される。図４，５に示すように、各段の環状触媒体１１Ａ〜１１Ｄは、複数の円弧触媒片１１ａ〜１１ｃを互いに継ぎ合わせることで構成される。この実施形態では、各段の環状触媒体１１Ａ〜１１Ｄを三等分したかたちの一つの円弧触媒片１１ａ〜１１ｃが予め形成される。各円弧触媒片１１ａ〜１１ｃは、セラミックによりハニカム構造をなして形成され、その軸線方向に沿って多数の細孔が平行に延びる。これら細孔をガスが通過するようになっている。そして、三つの円弧触媒片１１ａ〜１１ｃを内筒４の外周上で継ぎ合わせることで一段の環状触媒体１１Ａ〜１１Ｄが構成される。その一段の環状触媒体１１Ａ〜１１Ｄを、内筒４に沿って多段に順次重ね合わせることで、一つにまとまったハニカム触媒２が構成される。
【００２６】
図４に示すように、一つの環状触媒体１１は、隣り合う円弧触媒片１１ａ〜１１ｃの間に合計三つの継ぎ目１２を有する。この実施形態では、各段の隣り合う環状触媒体１１Ａ〜１１Ｄは、円弧触媒片１１ａ〜１１ｃの各継ぎ目１２を互いにずらした状態で対向配置される。この実施形態では、各円弧触媒片１１ａから１１ｃは互いに内筒４の中心軸を中心とする回転対称形状を有し、一つの円弧触媒片１１ａ〜１１ｃが隣接する円弧触媒片１１ａ〜１１ｃに重なるまで中心軸を中心として回転する角度を「１００」とした場合、互いにずらした状態で対向配置される環状触媒体１１は、中心軸を中心として「５０」の角度ずらした状態で配置される。つまり、図３において、一段目の環状触媒体１１Ａを構成する円弧触媒片１１ａ〜１１ｃの継ぎ目１２は、二段目の環状触媒体１１Ｂを構成する円弧触媒片１１ａ〜１１ｃの継ぎ目１２に対して上記「５０」の角度でずれている。同様に、二段目の環状触媒体１１Ｂを構成する円弧触媒片１１ａ〜１１ｃの継ぎ目１２は、三段目の環状触媒体１１Ｃを構成する円弧触媒片１１ａ〜１１ｃの継ぎ目１２に対して上記「５０」の角度でずれている。同様に、三段目の環状触媒体１１Ｃを構成する円弧触媒片１１ａ〜１１ｃの継ぎ目１２は、四段目の環状触媒体１１Ｄを構成する円弧触媒片１１ａ〜１１ｃの継ぎ目１２に対して上記「５０」の角度でずれている。図２には、破線で示す三段目の継ぎ目１２と実線で示す四段目の継ぎ目１２とが互いに上記「５０」の角度でずれていることが分かる。
【００２７】
ここで、上記したハニカム触媒装置１の製造工程につき図６〜１２を参照して説明する。先ず、第１の工程では、図６に示すように、内筒４を準備して、図７に示すように、その内筒４の外周にセラミックシート６を巻き付ける。
【００２８】
次に、第２の工程では、図８に示すように、一段目につき三つの円弧触媒片１１ａ〜１１ｃを内筒４の外周上（セラミックシート４を介して）で継ぎ合わせることで環状触媒体１１Ａを構成する。同様に、図９に示すように、一段目の環状触媒体１１Ａの上に二段目の環状触媒体１１Ｂを重ね合わせて構成する。その後、三段目及び四段目の環状触媒体１１Ｃ，１１Ｄを順次重ね合わせる。このとき、各段の隣り合う環状触媒体１１Ａ〜１Ｄにつき、円弧触媒片１１ａ〜１１ｃの継ぎ目１２が互いにずれるように配置することで、図１０に示すように、内筒４を中心に一つにまとまったハニカム触媒２が得られる。
【００２９】
その後、第３の工程では、図１１に示すように、ハニカム触媒２の外周にセラミックシート７を巻き付ける。
【００３０】
そして、第４の工程では、図１２に示すように、外筒５を構成する二つの湾曲板５ａ，５ｂをセラミックシート７の外周に重ね合わせて互いに接触する端部で締結することにより、図１〜３に示すようなハニカム触媒装置１が得られる。このように締結することで、セラミックシート７を介して外筒５が締め付けられ、ハニカム触媒２が中心部に向かって締め付けられ、その結果として外筒５及び内筒４がハニカム触媒２に対して締め付けられる。
【００３１】
以上説明したこの実施形態のハニカム触媒装置１の構成によれば、内筒４の外周にセラミックシート６を巻き付け、そのセラミックシート６を介して内筒４の外周上に複数の円弧触媒片１１ａ〜１１ｃを順次継ぎ合わせるこで一段目の環状触媒体１１Ａが構成される。その後、二段目から四段目の各環状触媒体１１Ｂ〜１１Ｄを順次多段に重ね合わせることで、内筒４を中心にして一つにまとまったハニカム触媒２が構成される。更に、このハニカム触媒２の外周にセラミックシート７を巻き付け、そのセラミックシート７を介してハニカム触媒２の外周に外筒５を組み付けることで、ハニカム触媒装置１が構成される。
【００３２】
ここで、ハニカム触媒２の中空に内筒４が組み付けられるので、その内筒４がコアとして機能することで、外力に対するハニカム触媒２の内部応力が高められる。従って、ハニカム触媒２との間の気密性を確保するために、破損を懸念することなく外筒５を強く締め付けることが可能となる。このため、中空のハニカム触媒２と外筒５及び内筒４との間を十分に締め付けることができるようになり、中空のハニカム触媒２と外筒５及び内筒４との間に隙間ができることを防止することができ、中空のハニカム触媒２と外筒５及び内筒４との間の気密性を十分に確保することができる。
【００３３】
また、この実施形態のハニカム触媒装置１によれば、各段の隣り合う環状触媒体１１Ａ〜１１Ｄを上記「５０」の角度でずらすことで、円弧触媒片１ａ〜１１ｃの継ぎ目１２が互いにずれているので、ハニカム触媒２の一端から他端へかけて継ぎ目１２がつながることがない。このため、ハニカム触媒２の一端から導入されるガスが円弧触媒片１１ａから１１ｃの継ぎ目１２を通じて直接すり抜けることを防止することができ、モノリスのハニカム触媒と同様の効率でガスを反応させることができる。
【００３４】
また、上記のように上下に重なり合う環状触媒体１１Ａ〜１１Ｄの間で、継ぎ目１２をずらすことで、各円弧触媒片１１ａ〜１１ｃのハニカム構造の細孔パターンが上下にずれて交差することになる。この実施形態では、各段の隣り合う環状触媒体１１Ａ〜１１Ｄのずれを、上記「５０」の角度ずらした状態に特定することで、ハニカム構造の細孔パターンのずれ度合いが好適に調整される。図１３は、この交差状態を模式的に示す。図１３において、実線は上側の円弧触媒片１１ａ〜１１ｃのハニカム構造パターン１３を示し、破線はその下側の円弧触媒片１１ａ〜１１ｃのハニカム構造パターン１４を示す。上側のハニカム構造パターン１３の細孔（四角で示す孔）は、下側のハニカム構造パターン１４の細孔に対してずれて交差していることが分かる。このため、ハニカム触媒２では、ハニカム構造パターン１３，１４のずれによりガスの混合が促進され、ガスの反応効率を向上させることができる。すなわち、ガスの触媒反応量は各細孔によって多少異なるので、各細孔から排出されるガスの成分比が各細孔ごとに多少異なっているが、ハニカム構造パターン１３，１４のずれによりガスの上流側の複数の細孔のガスが混合されて下流側の細孔に供給されるため下流側の反応効率を向上させることができ、この結果、触媒装置全体の反応効率を向上させることができる。
【００３５】
尚、この発明は前記実施形態に限定されるものではなく、発明の趣旨を逸脱することのない範囲で以下のように実施することもできる。
【００３６】
（１）前記実施形態では、各環状触媒体１１Ａ〜１１Ｄを三等分した円弧触媒片１１ａ〜１１ｃにより構成したが、円弧触媒片の等分数は三つに限るものではなく、例えば、二等分、四等分又は五等分であってもよい。また、一つの環状触媒体を、互いに大きさの異なる複数の円弧触媒片により構成することもできる。
【００３７】
（２）前記実施形態では、四つの環状触媒体１１Ａ〜１１Ｄを互いに重ね合わせたが、環状触媒体の数は四つに限るものではなく、例えば、二つ、三つ、五つ又は六つであってもよい。つまり、ハニカム触媒装置の長さや外径に応じて環状触媒体の数を適宜変えることができる。
【００３８】
（３）前記実施形態では、ハニカム触媒２（環状触媒体１１及び円弧触媒片１１ａ〜１１ｃ）をセラミックにより構成したが、ハニカム触媒（環状触媒体及び円弧触媒片）をメタルハニカムにより構成することもできる。
【００３９】
（４）前記実施形態では、内筒４、外筒５は円筒形状で、触媒体１１は環状形状で構成したが、内筒、外筒は筒状であり、触媒体は内筒と外筒の間に配置でき、触媒片が内筒の外周上で周方向に継ぎ合わされる形状であればよい。例えば、内筒が断面四角状、断面六角形状などの断面多角形状の筒状でもよく、外筒も断面四角状、断面六角形状などの断面多角形状の筒状でもよい。また、内筒と外筒の断面形状が同類の形状でなくともよい。例えば、内筒の断面形状が多角形状で外筒の断面形状が円形状でもよく、その逆でもよい。触媒体の形状も、内周形状が多角形状で外周形状が円形状など、内筒、外筒に合わせた様々な形状が適用できる。尚、上記の円筒形状には、楕円筒形状も含む。
【００４０】
（５）前記実施形態では、隣接する環状触媒体１１を、環状触媒体１１の一つの触媒片１１ａ〜１１ｃが隣接する触媒片１１ａ〜１１ｃに重なるまで環状触媒体１１の中心軸（内筒４の中心軸）を中心として回転する角度を「１００」とした場合、同中心軸を中心として「５０」の角度ずらした状態で配置されているが、特にこの「５０」の角度には限定されない。この角度は、「５〜９５」、「１０〜９０」、「３０〜７０」及び「４０〜６０」の範囲で設定することができる。
【図面の簡単な説明】
【００４１】
【図１】ハニカム触媒装置を示す斜視図。
【図２】ハニカム触媒装置を示す平面図。
【図３】ハニカム触媒装置を示す縦断面図。
【図４】環状触媒体を示す平面図。
【図５】円弧触媒片を示す平面図。
【図６】ハニカム触媒装置の製造工程を示す斜視図。
【図７】ハニカム触媒装置の製造工程を示す斜視図。
【図８】ハニカム触媒装置の製造工程を示す斜視図。
【図９】ハニカム触媒装置の製造工程を示す斜視図。
【図１０】ハニカム触媒装置の製造工程を示す斜視図。
【図１１】ハニカム触媒装置の製造工程を示す斜視図。
【図１２】ハニカム触媒装置の製造工程を示す斜視図。
【図１３】上下のハニカム構造パターンのずれを示す模式図。
【符号の説明】
【００４２】
１    ハニカム触媒装置
２    ハニカム触媒
３    ケーシング
４    内筒
５    外筒
６    セラミックシート（シール材）
７    セラミックシート（シール材）
１１    環状触媒体
１１Ａ    環状触媒体
１１Ｂ    環状触媒体
１１Ｃ    環状触媒体
１１Ｄ    環状触媒体
１１ａ    円弧触媒片
１１ｂ    円弧触媒片
１１ｃ    円弧触媒片
１２    継ぎ目
【図１】
2006297330.tif 000003
【図２】
2006297330.tif 000004
【図３】
2006297330.tif 000005
【図４】
2006297330.tif 000006
【図５】
2006297330.tif 000007
【図６】
2006297330.tif 000008
【図７】
2006297330.tif 000009
【図８】
2006297330.tif 000010
【図９】
2006297330.tif 000011
【図１０】
2006297330.tif 000012
【図１１】
2006297330.tif 000013
【図１２】
2006297330.tif 000014
【図１３】
2006297330.tif 000015